(57)【要約】      （修正有）【課題】両肩式吊りベルト胸付ズボンタイプの雨合羽において、小用時等に簡単に胸部とズボン部が脱着出来る雨合羽を提供する。【解決手段】両肩式吊りベルト胸付ズボンタイプの雨合羽の前面部において、胸部２の下部端面の裏生地に胸部脱着部６が、一方のズボン部３の上部端面の表生地にズボン部脱着部７がそれぞれ横方向に設けられており、予め胸部脱着部６及びズボン部脱着部７にそれぞれ設けられた位置決め用ホック８及び８’を用いて胸部脱着部６とズボン部脱着部７を仮止めした後に、面ファスナー又は線ファスナーの手段により胸部脱着部６とズボン部脱着部７が脱着する事で解決する。【選択図】図１
0003158801.tif 000002
【実用新案登録請求の範囲】
【請求項１】
両肩式吊りベルト胸付ズボンタイプの雨合羽の前面部において、胸部（２）の下部端面の裏生地に胸部脱着部（６）が、一方のズボン部（３）の上部端面の表生地にズボン部脱着部（７）がそれぞれ横方向に設けられており、予め胸部脱着部（６）及びズボン部脱着部（７）にそれぞれ設けられた位置決め用ホック（８）及び（８’）を用いて胸部脱着部（６）とズボン部脱着部（７）を仮止めした後に、面ファスナー又は線ファスナーの手段により胸部脱着部（６）とズボン部脱着部（７）が脱着する事を特徴とする雨合羽（１）。
【考案の詳細な説明】
【技術分野】
【０００１】  本考案は、両肩式吊りベルト胸付ズボンタイプの雨合羽において、小用時等に簡単に胸部とズボン部が脱着出来る雨合羽に関する。
【背景技術】
【０００２】  従来、雨合羽として上衣とズボンに元々分かれたセパレートタイプのものと漁師や釣り人が良く使う両肩式吊りベルト胸付ズボンタイプのものが知られている。【０００３】  特に両肩式吊りベルト胸付ズボンいわゆる胸付ズボンは、吊りベルト部分に設けられたバックルを外してからズボンを履くという形で着衣していた。【０００４】  なお、胸付ズボンは特に男性が小用を足す際に一般的なズボンと同様に面ファスナー又は線ファスナーの手段で股間に性器取り出し部分の開口面を胸付き部分上部より股間までの縦方向に設けていた。
【考案の概要】
【考案が解決しようとする課題】
【０００５】  しかしながら、雨合羽を使用する状況、つまり風雨が強かったり、船上で潮をかぶる状態、磯釣り等の波打ち際での状態などを鑑みても、雨合羽が潮や水しぶきによりかなり濡れてしまうため、一般的なズボンのような股間に縦方向に面ファスナー又は線ファスナーを縫製等の手段で縦に設けているだけでは潮や水が進入して来てしまい、雨合羽の下の衣服を濡らしてしまうという欠点が有った。【０００６】  又、寒冷地や寒い季節に股間のファスナーを動作させて小用を足す行為は非常に手間がかかるもので有った。
【課題を解決するための手段】
【０００７】  本考案の雨合羽は、両肩式吊りベルト胸付ズボンタイプの雨合羽の前面部において、胸部（２）の下部端面の裏生地に胸部脱着部（６）が、一方のズボン部（３）の上部端面の表生地にズボン部脱着部（７）がそれぞれ横方向に設けられており、予め胸部脱着部（６）及びズボン部脱着部（７）にそれぞれ設けられた位置決め用ホック（８）及び（８’）を用いて胸部脱着部（６）とズボン部脱着部（７）を仮止めした後に、面ファスナー又は線ファスナーの手段により胸部脱着部（６）とズボン部脱着部（７）が脱着する事を特徴とする。
【考案の効果】
【０００８】  本考案は、胸部脱着部とズボン部脱着部が横方向に、面ファスナー又は線ファスナーの手段で脱着出来る構造のため、まるで上衣をはがすような動作のみで脱ぐことが出来るので、小用を足す行為に手間がかからない雨合羽となる。【０００９】  又、胸部の下部端面の裏生地に胸部脱着部が、一方のズボン部には上部端面の表生地にズボン部脱着部が横方向に設けられて面ファスナー又は線ファスナーで装着されるため、潮や水をかぶった場合でも、上から下へ自然と潮や水が流れ落ち、各脱着部から潮や水が進入して来て雨合羽の下の衣服を濡らす事のないものとなる。【００１０】  副次的な効果として胸部とズボン部を外した状態では首の前部分に胸部が引っかかってくれるため、小用を足す際にズボン部を下げるだけの動作で良いものとなる。
【図面の簡単な説明】
【００１１】
【図１】本考案の一実施例を示す斜視図である。
【図２】本考案の一実施例を示す斜視図である。
【考案を実施するための形態】
【００１２】  本考案における雨合羽の大きさ、デザイン、材質、製造方法等は特に限定される事はないが、表生地には強力な防水性のあるビニール系素材、裏生地にはポリエステルを用い、ウェルダー縫製で水の進入を防ぐ方法にて製造される事が好ましい。
【００１３】  位置決め用ホックも樹脂製のものがサビ等に強く好ましい。
【００１４】  面ファスナー又は線ファスナーを設ける長さ、幅や形状にも特に限定はされないが、縫製や製造コストの面から面ファスナーを用いる方が好ましい。
以下、実施例と図に基づき説明する。
【実施例】
【００１５】  以下、本考案の一実施例を図１及び図２で説明するがこれによって本考案は何ら限定されるものではない。【００１６】  図１は、本考案の一実施制を示し、両肩を乗せる吊りベルト（４）が有り、この吊りベルト（４）に設けられたバックル（５）を外してズボンを履く形で着衣する。【００１７】  又、胸部（２）の下部端面の裏生地に胸部脱着部（６）が面ファスナーの手段で縫製されており、一方のズボン部（３）の上部端面の表生地にズボン部脱着部（７）が同じく面ファスナーの手段で縫製されてそれぞれ横方向に設けられている。【００１８】  その際各脱着部の左右端部に仮止め用の位置決め用ホック（８）及び（８’）が設けられていて、胸部脱着部（６）とズボン部脱着部（７）が先の面ファスナーで自由に脱着出来るように構成されている。【００１９】  図２は、本考案の一実施例の側面からの斜視図であり、面ファスナーとしての胸部脱着部（６）が裏生地に、一方の面ファスナーとしてのズボン部脱着部（７）が表生地に縫製されている例を示し、必ず胸部（２）が着衣時に上側に来る事となる。
【産業上の利用の可能性】
【００２０】  横方向に胸部とズボン部を面ファスナー又は線ファスナーの手段で簡単に脱着出来るため、小用を足す際に手間のかからない雨合羽となる。
【００２１】  又、潮や水をかぶった場合でも必ず胸部がズボン部の上に来ているため、各脱着部において潮や水の進入が防げて雨合羽の下の衣服を濡らさない優れたものとなる。
【符号の説明】
【００２２】１  雨合羽    ２  胸部    ３  ズボン部    ４  吊りベルト
５  バックル    ６  胸部脱着部    ７  ズボン部脱着部
８，８’  位置決め用ホック    ９  股間部
【図１】
0003158801.tif 000003
【図２】
0003158801.tif 000004
【手続補正書】
【提出日】平成22年1月29日(2010.1.29)
【手続補正１】
【補正対象書類名】実用新案登録請求の範囲
【補正対象項目名】全文
【補正方法】変更
【補正の内容】
【実用新案登録請求の範囲】
【請求項１】
両肩式吊りベルト胸付ズボンタイプの雨合羽の着衣前面部において、胸部（２）の下部端面の裏生地に面ファスナーを横一文字の形状に縫製して設けた胸部脱着部（６）と、一方のズボン部（３）の上部端面の表生地に面ファスナーを横一文字の形状に縫製して設けたズボン部脱着部（７）からなる雨合羽（１）。
【手続補正２】
【補正対象書類名】明細書
【補正対象項目名】０００７
【補正方法】変更
【補正の内容】
【０００７】  本考案の雨合羽は、両肩式吊りベルト胸付ズボンタイプの雨合羽の着衣前面部において、胸部（２）の下部端面の裏生地に面ファスナーを横一文字の形状に縫製して設けた胸部脱着部（６）と、一方のズボン部（３）の上部端面の表生地に面ファスナーを横一文字の形状に縫製して設けたズボン部脱着部（７）からなることを特徴とする。
【手続補正３】
【補正対象書類名】明細書
【補正対象項目名】０００８
【補正方法】変更
【補正の内容】
【０００８】  本考案は、胸部脱着部とズボン部脱着部が横一文字の形状にそれぞれ縫製された面ファスナーから設けられているので、あたかも上衣をはがすような動作のみで合羽を脱ぐことが出来、小用を足す行為に手間がかからない雨合羽となる。
【手続補正４】
【補正対象書類名】明細書
【補正対象項目名】０００９
【補正方法】変更
【補正の内容】
【０００９】  又、胸部の下部端面の裏生地に面ファスナーを横一文字の形状に縫製して設けた胸部脱着部と、一方のズボン部の上部端面の表生地に面ファスナーを横一文字の形状に縫製して設けたズボン部脱着部とでそれぞれが装着されるため、潮や水をかぶった場合でも、上から下へ自然と潮や水が流れ落ち、各脱着部から潮や水が進入して来て雨合羽の下の衣服を濡らす事のないものとなる。
【手続補正５】
【補正対象書類名】明細書
【補正対象項目名】００１４
【補正方法】変更
【補正の内容】
【００１４】  面ファスナーを設ける長さ、幅や形状にも特に限定はされない。
以下、実施例と図に基づき説明する。
【手続補正６】
【補正対象書類名】明細書
【補正対象項目名】００１７
【補正方法】変更
【補正の内容】
【００１７】  又、胸部（２）の下部端面の裏生地に胸部脱着部（６）が面ファスナーで横一文字に縫製されており、一方のズボン部（３）の上部端面の表生地にズボン部脱着部（７）が同じく面ファスナーで横一文字に縫製されて設けられている。
【手続補正７】
【補正対象書類名】明細書
【補正対象項目名】００１９
【補正方法】変更
【補正の内容】
【００１９】  図２は、胸部（２）の下部端面の裏生地に胸部脱着部（６）が面ファスナーの手段で横一文字に縫製されており、一方のズボン部（３）の上部端面の表生地にズボン部脱着部（７）が同じく面ファスナーの手段で横一文字に縫製されている例を示し、着衣時には必ず胸部脱着部（６）がズボン部脱着部（７）の上側に来る事を示している。
【手続補正８】
【補正対象書類名】明細書
【補正対象項目名】００２０
【補正方法】変更
【補正の内容】
【００２０】  面ファスナーをそれぞれ横一文字に縫製して設けた胸部脱着部（６）とズボン部脱着部（７）であるため、簡単に脱着出来、小用を足す際に手間のかからない雨合羽となる。